(57)【特許請求の範囲】
【請求項１】
二以上のサブハーネスから分岐させた電線にそれぞれ接続され、基板状接触部の上に弾性接触部を連成した端子と、積層可能な二以上のサブハウジングを有し、各サブハウジングの端子収容室に、前記基板状接触部及び前記弾性接触部に対応する開口部をそれぞれ設けたコネクタハウジングとを備え、端子収容室に前記端子を収容した各サブハウジングを積層させることにより、上段と下段の各サブハウジングの端子収容室に収容された前記端子どうしを互いに接続させるようにしたスプライス吸収コネクタであって、
各サブハウジングの互いに重なり合わない共通の一面に、各サブハウジングの積層順位を意味し、かつ、各サブハウジングごとに外観上相違する順位特定部を設け、各サブハウジングを正しい順序で積層したとき、これらサブハウジングの個々の順位特定部が、全体で一定の規則性を有するパターンを形成することを特徴とするスプライス吸収コネクタ。
【請求項２】
前記順位特定部を、各サブハウジングの前記一面に、その積層順位と同数の立体又は平面マークを設け、二段目以降のサブハウジングにおいて複数の該立体又は平面マークを並列に等間隔で設けた構成とした請求項１記載のスプライス吸収コネクタ。
【請求項３】
前記順位特定部を、各サブハウジングの前記一面の一部又は全部を、その積層段数と同数に区画し、これら区画のうち、各サブハウジングの積層順位と同じ順位の区画を、これ以外の区画と外観上相違させた構成とした請求項１記載のスプライス吸収コネクタ。
【請求項４】
前記順位特定部における各区画のうち、各サブハウジングの積層順位と同じ順位の前記区画に、その積層順位と同じ番号を付した請求項３記載のスプライス吸収コネクタ。
【請求項５】
前記順位特定部における各区画のうち、各サブハウジングの積層順位と同じ順位の前記区画に、立体又は平面マークを設けた請求項３記載のスプライス吸収コネクタ。
【請求項６】
前記順位特定部における各区画のうち、各サブハウジングの積層順位と同じ順位の前記区画以外に、立体又は平面マークを設けた請求項３記載のスプライス吸収コネクタ。
【請求項７】
前記順位特定部における各区画のうち、各サブハウジングの積層順位と同じ順位の前記区画に、彩色を施した請求項３記載のスプライス吸収コネクタ。
【請求項８】
前記順位特定部における各区画のうち、各サブハウジングの積層順位と同じ順位の前記区画以外に、彩色を施した請求項３記載のスプライス吸収コネクタ。
【発明の詳細な説明】
【０００１】
【発明の属する技術分野】
本発明は、例えば、サブハーネスから分岐させた電線相互間の継ぎ目（スプライス）をなくすためのスプライス吸収コネクタに関し、特に、同一のサブハウジングを複数積層してコネクタハウジング全体を形成する構成のスプライス吸収コネクタに関する。
【０００２】
【従来の技術】
従来のジョイント吸収コネクタやスプライス吸収コネクタでは、サブハーネスから分岐させた電線の本数，接続パターンの変更に柔軟に対応することができず、車両内回路の増大や複雑化に伴ってコネクタ全体が大型化してしまうという問題を有し、このような問題点に鑑みて、本出願人は、特願平１０−３１８８８８号において、図９〜図１０に示すようなスプライス吸収コネクタを提案した。
【０００３】
図９は本出願人が提案した特願平１０−３１８８８８号のスプライス吸収コネクタを示す分解斜視図である。
また、図１０は上記スプライス吸収コネクタを組み立てた状態の断面図、図１１は、上記スプライス吸収コネクタを構成する端子の斜視図である。
さらに、図１２は上記スプライス吸収コネクタによるサブハーネスの接続状態を示す概念図である。
【０００４】
図９，図１０及び図１２において、スプライス吸収コネクタ１００は、二以上のサブハーネス３１，３２から分岐された電線３１ａ，３２ａに接続された複数の端子１０と、これら端子１０を収容するコネクタハウジング２０とを備えている。
【０００５】
図９に示す端子１０は、電線３１ａ，３２ａを圧接接続するための圧接部１１と、平坦な基板状接触部１２と、該基板状接触部１２の上に連成された弾性接触部１３とを有する。
【０００６】
図９及び図１０に示すように、コネクタハウジング２０は、積層可能な二つのサブハウジング２０Ａ，２０Ｂと、上段のサブハウジング２０Ａの上に取り付けられる上蓋体（蓋体）２４と、下段のサブハウジング２０Ｂの下に取り付けられる下蓋体（蓋体）２５とで構成してある。
【０００７】
サブハウジング２０Ａ，２０Ｂは、ともに同一の構成となっており、端子１０を収容する複数の端子収容室２１を有する。
これら端子収容室２１には、端子１０の基板状接触部１２及び弾性接触部１３にそれぞれ対応する下開口部（開口部）２１ａと上開口部（開口部）２１ｂがそれぞれ設けてある。
【０００８】
サブハウジング２０Ａの端子収容室２１には、図１２に示すサブハーネス３１から分岐された電線３１ａの端子１０が収容され、サブハウジング２０Ｂの端子収容室２１には、図１２に示すサブハーネス３２から分岐された電線３２ａの端子１０が収容される。
【０００９】
端子収容室２１に端子１０が収容されると、図１０に示すように、下開口部２１ａから基板状接触部１２が露出するとともに、上開口部２１ｂから弾性接触部１３が突出する。
【００１０】
また、図１０に示すように、サブハウジング２０Ａ，２０Ｂの両側面には、上下に係止爪２２と係止枠２３がそれぞれ一体形成してある。
サブハウジング２０Ａ，２０Ｂを積層すると、上段のサブハウジング２０Ａの係止枠２３が、下段のサブハウジング２０Ｂの係止爪２２にかみ合って、これらサブハウジング２０Ａ，２０Ｂが一体となる。
【００１１】
このとき、サブハウジング２０Ａの下開口部２１ａと、サブハウジング２０Ｂの上開口部２１ｂとが連通し、サブハウジング２０Ａの端子収容室２１に収容された端子１０の基板状接触部１２に、サブハウジング２０Ｂの端子収容室２１に収容された端子１０の弾性接触部１３が接触する。
これにより、図１２に示すサブハーネス３１，３２の電線３１ａ，３２ａどうしが互いに接続される（縦方向のスプライスが吸収される）。
【００１２】
ここで、同一サブハウジング２０Ａ又は２０Ｂの隣り合う端子収容室２１に収容される端子１０どうしを互いに接続させる場合（横方向のスプライスを吸収する場合）は、図１１に示すように、端子１０をプレス加工する過程で形成されるキャリア（連鎖帯）１４を残存させるとともに、これを曲折し、端子１０どうしの接続を行なっている。
【００１３】
図９及び図１０に戻り、上蓋体２４は、サブハウジング２０Ａの係止爪２２にかみ合う係止枠２３を有し、サブハウジング２０Ａの上に取り付けられ、端子収容室２１の上開口部２１ｂを塞ぐ。
これにより、サブハウジング２０Ａの上開口部２１ｂから端子１０の弾性接触部１３が露出することを防止できる
【００１４】
一方、下蓋体２５は、サブハウジング２０Ｂの係止枠２３にかみ合う係止爪２２を有し、サブハウジング２０Ｂの下に取り付けられ、端子収容室２１の下開口部２１ａを塞ぐ。
これにより、サブハウジング２０Ｂの下開口部２１ａから端子１０の基板状接触部１２が露出することを防止できる。
【００１５】
このような構成からなるスプライス吸収コネクタ１００によれば、コネクタハウジング２０を構成するサブハウジング２０Ａ，２０Ｂを増減させることにより、サブハーネス３１，３２から分岐させた電線３１ａ，３２ａの本数や接続パターンの変更に柔軟に対応することができる。
【００１６】
また、スプライス吸収コネクタ１００を二以上のサブハウジング２０Ａ，２０Ｂによって構成してあるので、サブハウジング２０Ａ，２０Ｂを縦又は横の二方向に拡張することができ、車両内の回路が増大，複雑化した場合でも、スプライス吸収コネクタ１００全体の小型化を図ることができる。
【００１７】
さらに、端子１０をサブハウジング２０Ａ，２０Ｂに嵌め込む作業がサブハーネス３１，３２ごとに完結し、各サブハーネス３１，３２の完成後は、各サブハウジング２０Ａ，２０Ｂを積層するだけで、各サブハーネス３１，３２から分岐させた電線３１ａ，３２ａどうしを互いに接続させることができ、ワイヤハーネス全体の生産効率を向上させることができる。
【００１８】
これに加えて、端子１０をプレス加工する過程で形成されるキャリア１４をそのまま利用して、同一サブハウジング２０Ａ又は２０Ｂの隣り合う端子収容室２１に収容される端子１０どうしを互いに接続させることができ、また、キャリア１４を切除するか否かで、これら端子１０どうしの接続と絶縁を容易に選択することができる。
【００１９】
【発明が解決しようとする課題】
本出願人が提案したスプライス吸収コネクタは、上記のような有用な効果を奏するものであるが、各サブハウジングが同一構成であるため、これらサブハウジングを多数積層する場合は、組立時に、その積層順序を誤ってしまうことがあった（なお、上記のようにサブハウジング２０Ａ，２０Ｂが二つの場合は、いずれが上段，下段でも、各端子１０が同様に接続されるので全く問題とならない）。
【００２０】
また、これらサブハウジングの積層順序に誤りがあることは、スプライス吸収コネクタを導通検査することにより発見可能であるが、このような導通検査の結果から、各サブハウジングの積層順序のどこがどのように誤っているのかまでを、具体的に判断することができず、誤りの修正に手間と時間を要するという不都合が生じた。
【００２１】
本発明は、上記不都合に鑑みてなされたものであり、各サブハウジングの積層順序を外観上明確に識別可能とすることにより、各サブハウジングの積層順序の誤りを未然防止し、かつ、積層順序のどこがどのように誤っているか瞬時に判断することができるスプライス吸収コネクタの提供を目的とする。
【００２２】
【課題を解決するための手段】
上記目的を達成するために、請求項１記載のスプライス吸収コネクタは、二以上のサブハーネスから分岐させた電線にそれぞれ接続され、基板状接触部の上に弾性接触部を連成した端子と、積層可能な二以上のサブハウジングを有し、各サブハウジングの端子収容室に、前記基板状接触部及び前記弾性接触部に対応する開口部をそれぞれ設けたコネクタハウジングとを備え、端子収容室に前記端子を収容した各サブハウジングを積層させることにより、上段と下段の各サブハウジングの端子収容室に収容された前記端子どうしを互いに接続させるようにしたスプライス吸収コネクタであって、
各サブハウジングの互いに重なり合わない共通の一面に、各サブハウジングの積層順位を意味し、かつ、各サブハウジングごとに外観上相違する順位特定部を設け、各サブハウジングを正しい順序で積層したとき、これらサブハウジングの個々の順位特定部が、全体で一定の規則性を有するパターンを形成する構成とする。
【００２３】
このような構成によれば、スプライス吸収コネクタの組立時において、各サブハウジングの一面に設けた順位特定部に従って、各サブハウジングを積層することにより、その積層順序の誤りを未然防止することができる。
【００２４】
そして、各サブハウジングを正しい順序で積層したとき、これらサブハウジングの個々の順位特定部が、全体で一定の規則性を有するパターンを形成する構成とする。
【００２５】
例えば、請求項２記載のスプライス吸収コネクタのように、前記順位特定部を、各サブハウジングの前記一面に、その積層順位と同数の立体又は平面マークを設け、二段目以降のサブハウジングにおいて複数の該立体又は平面マークを並列に等間隔で設けた構成とする。
【００２６】
このような構成によれば、スプライス吸収コネクタの組立時において、各サブハウジングの一面に設けた順位特定部（立体又は平面マークの数と積層順位の対応など）に従って、各サブハウジングを積層することにより、その積層順序の誤りを未然に防止することができる。
【００２７】
また、各サブハウジングを正しい順序で積層したとき、これらサブハウジングの順位特定部が、全体で一定の規則性を有するパターンを形成するので、作業者は、このパターンを一見するだけで積層順序の正誤、及び、積層順序のどこがどのように誤っているか瞬時に判断することができる。
【００２８】
すなわち、順位特定部を、各サブハウジングの積層順位と同数の立体又は平面マークとした場合、各サブハウジングを正しい順序で積層すると、各順位特定部の立体又は平面マークが全体で、各サブハウジングごとに一つずつ増えていくといった一定の規則性を有する立体的又は平面的な形状パターンを形成する。
【００２９】
作業者は、このような立体的又は平面的な形状パターンを目視し、一定の規則性の有無を感じ取るだけで、積層順序の正誤、及び、積層順序のどこがどのように誤っているか瞬時に判断することができる。
【００３０】
好ましくは、請求項３記載のスプライス吸収コネクタのように、前記順位特定部を、各サブハウジングの前記一面の一部又は全部を、その積層段数と同数に区画し、これら区画のうち、各サブハウジングの積層順位と同じ順位の区画を、これ以外の区画と外観上相違させた構成とする。
【００３１】
例えば、請求項４記載のスプライス吸収コネクタのように、前記順位特定部における各区画のうち、各サブハウジングの積層順位と同じ順位の前記区画に、その積層順位と同じ番号を付した構成とする。
【００３２】
このような構成によれば、各サブハウジングに付された番号に従って、これらサブハウジングを積層することにより、その積層順序の誤りを未然防止することができる。
【００３３】
また、各サブハウジングを正しい順序で積層すると、各順位特定部の番号が積層した各サブハウジングの対角線上に斜めに並んで、全体として一定の規則性を有するパターンを形成する。
【００３４】
例えば、請求項５記載のスプライス吸収コネクタのように、前記順位特定部における各区画のうち、各サブハウジングの積層順位と同じ順位の前記区画に、立体又は平面マークを設けた構成とし、あるいは、請求項６記載のスプライス吸収コネクタのように、前記順位特定部における各区画のうち、各サブハウジングの積層順位と同じ順位の前記区画以外に、立体又は平面マークを設けた構成としてもよい。
【００３５】
このような構成によれば、各サブハウジングの順位特定部における立体又は平面マークの位置、あるいは、立体又は平面マークを設けていない区画の位置に基づいて、各サブハウジングの積層順位を識別でき、その積層順序の誤りを未然防止することができる。
【００３６】
また、各サブハウジングを正しい順序で積層すると、各順位特定部における立体又は平面マーク、あるいは、立体又は平面マークを設けていない区画が、積層した各サブハウジングの対角線上に斜めに並んで、全体として一定の規則性を有するパターンを形成する。
【００３７】
例えば、請求項７記載のスプライス吸収コネクタのように、前記順位特定部における各区画のうち、各サブハウジングの積層順位と同じ順位の前記区画に、彩色を施した構成とし、又は、請求項８記載のスプライス吸収コネクタのように、前記順位特定部における各区画のうち、各サブハウジングの積層順位と同じ順位の前記区画以外に、彩色を施した構成としてもよい。
【００３８】
このような構成によれば、各サブハウジングの順位特定部における彩色を施した区画の位置、あるいは、彩色を施していない区画の位置に基づいて、各サブハウジングの積層順位を識別でき、各サブハウジングの積層順序の誤りを未然防止することができる。
【００３９】
また、各サブハウジングを正しい順序で積層すると、各順位特定部における彩色を施した区画、あるいは、彩色を施していない区画が、積層した各サブハウジングの対角線上に斜めに並んで、全体として一定の規則性を有するパターンを形成する。
【００４０】
【発明の実施の形態】
以下、本発明のスプライス吸収コネクタの実施形態について説明する。
まず、本発明の第一実施形態に係るスプライス吸収コネクタについて、図１〜３を参照しつつ説明する。
【００４１】
図１は本発明の実施形態に係るスプライス吸収コネクタを示す斜視図である。また、図２（ａ），（ｂ）は上記スプライス吸収コネクタを構成する各サブハウジングの正面図である。
さらに、図３は上記サブハウジングの積層順序の正誤を判別する検査具を示す部分断面図である。
【００４２】
なお、本発明のスプライス吸収コネクタは、上述した図１０に示すスプライス吸収コネクタを改良したものであり、以下に説明する実施形態において、図１０に示すスプライス吸収コネクタと同一箇所については、同一符号を付して詳細な説明は省略する。
【００４３】
図１及び図２（ａ）において、本実施形態のスプライス吸収コネクタ１は、六つのサブハウジング２０Ａ，２０Ｂ，２０Ｃ，２０Ｄ，２０Ｅ，２０Ｆを備え、図２（ａ）に示すように、上段側から各サブハウジング２０Ａ〜２０Ｆが順序よく積層された場合には各段のサブハウジングの端子どうし（図示しない）が正規に接続される状態を示している。そして、各サブハウジング２０Ａ〜２０Ｆの互いに重なり合わない共通の一面（本実施形態の場合は正面）２０ａ…に、それぞれ順位特定部４０を設けた構成となっている。
【００４４】
順位特定部４０は、各サブハウジング２０Ａ〜２０Ｆごとに外観上位置が相違し、これらサブハウジング２０Ａ〜２０Ｆのあらかじめ定められた積層順位を意味するものである。
【００４５】
本実施形態における順位特定部４０は、各サブハウジング２０Ａ〜２０Ｆの一面２０ａを、概念的にその積層段数（六段）と同数の、４０ａ，４０ｂ，４０ｃ，４０ｄ，４０ｅ，４０ｆの六つに区画し、これら区画４０ａ〜４０ｆのうち、各サブハウジング２０Ａ〜２０Ｆの積層順位と同じ順位の区画以外に、凸状の立体マーク４１，４１，４１，４１，４１を設けた構成としてある。
【００４６】
換言すれば、各サブハウジング２０Ａ〜２０Ｆの積層順位と同じ順位の区画４０ａ〜４０ｆのみ、立体マーク４１を設けないことによって、各サブハウジング２０Ａ〜２０Ｆの積層順位をそれぞれ意味付けしている。
【００４７】
例えば、一段目のサブハウジング２０Ａの順位特定部４０では、一番目の区画４０ａに立体マーク４１を設けず、また、二段目のサブハウジング２０Ｂの順位特定部４０では、二番目の区画４０ｂに立体マーク４１を設けていない。
【００４８】
このような構成からなる本実施形態のスプライス吸収コネクタ１によれば、各サブハウジング２０Ａ〜２０Ｆの順位特定部４０における立体マーク４１を設けていない区画４０ａ〜４０ｆの位置に基づいて、各サブハウジング２０Ａ〜２０Ｆの積層順位を識別でき、各サブハウジング２０Ａ〜２０Ｆの積層順序の誤りを未然防止することができる。
【００４９】
また、図２（ａ）に示すように、各サブハウジング２０Ａ〜２０Ｆを正しい順序で積層すると、各順位特定部４０における立体マーク４１を設けていない区画４１ａ〜４１ｆが、積層した各サブハウジング２０Ａ〜２０Ｆの対角線上に斜めに並んで、全体として一定の規則性を有するパターンを形成する。
【００５０】
一方、図２（ｂ）に示すように、各サブハウジング２０Ａ〜２０Ｆの積層順序を誤ると、各順位特定部４０における立体マーク４１を設けていない区画４０ａ〜４０ｆが規則的に並ばず、違和感を感じる不規則なパターンを形成する。
【００５１】
したがって、作業者は、このような立体的な形状パターンを目視し、一定の規則性の有無を感じ取るだけで、各サブハウジング２０Ａ〜２０Ｆの積層順序の正誤、及び、積層順序のどこがどのように誤っているか瞬時に判断することができる。
【００５２】
さらに、各サブハウジング２０Ａ〜２０Ｆの積層順序の正誤は、図３に示す検査具９０によっても判別することができる。
同図において、検査具９０は、積層した各サブハウジング２０Ａ〜２０Ｆに対して進退自在な検査具本体９１を有する。
【００５３】
該検査具本体９１の内部には、各サブハウジング２０Ａ〜２０Ｆの順位特定部４０の全ての区画４０ａ〜４０ｆ（６×６＝３６区画、図２（ａ）参照）に対応する、進退可能な検知ピン９２…が収容してある。
また、各検知ピン９２の後方には、各検知ピン９２の進退を個別に検知するスイッチ９３…が取り付けてある。
【００５４】
このような検査具９０によれば、レバー９４操作によって、検査具本体９１を各サブハウジング２０Ａ〜２０Ｆ側に前進させると、各順位特定部４０の立体マーク４１に当接した検知ピン９２のみが後退して、スイッチ９３を押下にする。このときの各スイッチ９３の動作に基づいて、各サブハウジング２０Ａ〜２０Ｆの積層順序の正誤を判別することができる。
【００５５】
その他、各サブハウジング２０Ａ〜２０Ｆの積層順序の正誤は、一般に用いられている画像解析装置（図示せず）によっても判別することができる。
【００５６】
次に、本発明の第二実施形態に係るスプライス吸収コネクタについて、図４（ａ），（ｂ）を参照しつつ説明する。
図４（ａ），（ｂ）は本発明の第二実施形態に係るスプライス吸収コネクタを構成する各サブハウジングの正面図である。
【００５７】
図４（ａ）において、本実施形態では、順位特定部４０における各サブハウジング２０Ａ〜２０Ｆの積層順位と同じ順位の区画４０ａ〜４０ｆのみ、立体マーク４１を設けることによって、各サブハウジング２０Ａ〜２０Ｆの積層順位をそれぞれ意味付けしている。すなわち、順位特定部４０の構成が、上述した第一実施形態と逆の関係になっている。
【００５８】
上記構成によれば、各サブハウジング２０Ａ〜２０Ｆの順位特定部４０における立体マーク４１の位置に基づいて、各サブハウジング２０Ａ〜２０Ｆの積層順位を識別でき、各サブハウジング２０Ａ〜２０Ｆの積層順序の誤りを未然防止することができる。
【００５９】
また、図４（ａ）に示すように、各サブハウジング２０Ａ〜２０Ｆを正しい順序で積層すると、各順位特定部４０における立体マーク４１が、積層した各サブハウジング２０Ａ〜２０Ｆの対角線上に斜めに並んで、全体として一定の規則性を有するパターンを形成する。
【００６０】
一方、図４（ｂ）に示すように、各サブハウジング２０Ａ〜２０Ｆの積層順序を誤ると、各順位特定部４０における立体マーク４１が規則的に並ばず、違和感を感じる不規則なパターンを形成する。
【００６１】
このような立体的な形状パターンの規則性の有無を目視等によって判断することにより、第一実施形態と同様、各サブハウジング２０Ａ〜２０Ｆの積層順序の正誤、及び、積層順序のどこがどのように誤っているか瞬時に判断することができる。
【００６２】
次に、本発明の第三実施形態に係るスプライス吸収コネクタについて、図５（ａ），（ｂ）を参照しつつ説明する。
図５（ａ），（ｂ）は本発明の第三実施形態に係るスプライス吸収コネクタを構成する各サブハウジングの正面図である。
【００６３】
図５（ａ）において、本実施形態では、順位特定部４０を、各サブハウジング２０Ａ〜２０Ｆの一面２０ａに、その積層順位と同数の立体マーク４１を並列に等間隔で設けた構成としてある。
【００６４】
このような構成によれば、各サブハウジング２０Ａ〜２０Ｆの順位特定部４０における立体マーク４１の数に基づいて、各サブハウジング２０Ａ〜２０Ｆの積層順位を識別でき、各サブハウジング２０Ａ〜２０Ｆの積層順序の誤りを未然防止することができる。
【００６５】
また、図５（ａ）に示すように、各サブハウジング２０Ａ〜２０Ｆを正しい順序で積層すると、各順位特定部４０の立体マーク４１が全体で、各サブハウジング２０Ａ〜２０Ｆごとに一つずつ増えていくといった一定の規則性を有する立体的な形状パターンを形成する。
【００６６】
一方、図５（ｂ）に示すように、各サブハウジング２０Ａ〜２０Ｆの積層順序を誤ると、立体マーク４１全体の規則性が失われ、違和感を感じる不規則なパターンを形成する。
【００６７】
このような立体的な形状パターンの規則性の有無を目視等によって判断することにより、第一実施形態と同様、各サブハウジング２０Ａ〜２０Ｆの積層順序の正誤、及び、積層順序のどこがどのように誤っているか瞬時に判断することができる。
【００６８】
次に、本発明の第四実施形態に係るスプライス吸収コネクタについて、図６（ａ），（ｂ），（ｃ）を参照しつつ説明する。
図６（ａ），（ｂ），（ｃ）は本発明の第四実施形態に係るスプライス吸収コネクタを構成する各サブハウジングの正面図である。
【００６９】
図６（ａ），（ｂ），（ｃ）において、本実施形態のスプライス吸収コネクタは、各サブハウジング２０Ａ〜２０Ｆが、上述した第一，第二及び第三実施形態における順位特定部４０の立体マーク４１の代わりに、所定の区画５０ａ，５０ｂ，５０ｃ，５０ｄ，５０ｅ，５０ｆに平面マーク５１を設けた構成の順位特定部５０を備えている。
【００７０】
このような構成によっても、上述した第一，第二及び第三実施形態と同様、各サブハウジング２０Ａ〜２０Ｆの積層順序を外観上明確に識別可能とすることにより、各サブハウジング２０Ａ〜２０Ｆの積層順序の誤りを未然防止し、かつ、積層順序のどこがどのように誤っているか瞬時に判断することができる。
【００７１】
次に、本発明の第五実施形態に係るスプライス吸収コネクタについて、図７（ａ），（ｂ），（ｃ）を参照しつつ説明する。
図７（ａ），（ｂ），（ｃ）は本発明の第五実施形態に係るスプライス吸収コネクタを構成する各サブハウジングの正面図である。
【００７２】
図７（ａ），（ｂ），（ｃ）において、本実施形態のスプライス吸収コネクタは、各サブハウジング２０Ａ〜２０Ｆが、上述した第一，第二及び第三実施形態における順位特定部４０の立体マーク４１の代わりに、所定の区画６０ａ，６０ｂ，６０ｃ，６０ｄ，６０ｅ，６０ｆに彩色６１を施した構成の順位特定部６０を備えている。
【００７３】
このような構成によっても、上述した第一，第二及び第三実施形態と同様、各サブハウジング２０Ａ〜２０Ｆの積層順序を外観上明確に識別可能とすることにより、各サブハウジング２０Ａ〜２０Ｆの積層順序の誤りを未然防止し、かつ、積層順序のどこがどのように誤っているか瞬時に判断することができる。
【００７４】
次に、本発明の第六実施形態に係るスプライス吸収コネクタについて、図８を参照しつつ説明する。
図８は本発明の第六実施形態に係るスプライス吸収コネクタを構成する各サブハウジングの正面図である。
【００７５】
図８に示すスプライス吸収コネクタは、各サブハウジング２０Ａ〜２０Ｆの一面２０ａを、概念的にその積層段数（六段）と同数の、７０ａ，７０ｂ，７０ｃ，７０ｄ，７０ｅ，７０ｆの六つに区画し、これら区画７０ａ〜７０ｆのうち、各サブハウジング２０Ａ〜２０Ｆの積層順位と同じ順位の区画に、「１」〜「６」の番号７１を付した構成の順位特定部７０を備えている。
【００７６】
このような構成によれば、各サブハウジング２０Ａ〜２０Ｆに付された「１」〜「６」の番号に従って、これらサブハウジング２０Ａ〜２０Ｆを積層することにより、その積層順序の誤りを未然防止することができる。
【００７７】
また、各サブハウジング２０Ａ〜２０Ｆを正しい順序で積層すると、各順位特定部の「１」〜「６」の番号７１が、積層した各サブハウジング２０Ａ〜２０Ｆの対角線上に斜めに並んで、全体として一定の規則性を有するパターンを形成する。
【００７８】
【発明の効果】
以上のように、本実施形態のスプライス吸収コネクタによれば、各サブハウジングの積層順序を外観上明確に識別可能とすることにより、各サブハウジングの積層順序の誤りを未然防止し、かつ、積層順序のどこがどのように誤っているか瞬時に判断することができる。
また、各サブハウジングを正しい順序で積層したとき、これらサブハウジングの順位特定部が、全体で一定の規則性を有するパターンを形成するので、作業者は、このパターンを一見するだけで積層順序の正誤、及び、積層順序のどこがどのように誤っているか瞬時に判断することができる。
【図面の簡単な説明】
【図１】本発明の実施形態に係るスプライス吸収コネクタを示す斜視図である。
【図２】同図（ａ），（ｂ）は上記スプライス吸収コネクタを構成する各サブハウジングの正面図である。
【図３】上記サブハウジングの積層順序の正誤を判別する検査具を示す部分断面図である。
【図４】同図（ａ），（ｂ）は本発明の第二実施形態に係るスプライス吸収コネクタを構成する各サブハウジングの正面図である。
【図５】同図（ａ），（ｂ）は本発明の第三実施形態に係るスプライス吸収コネクタを構成する各サブハウジングの正面図である。
【図６】同図（ａ），（ｂ），（ｃ）は本発明の第四実施形態に係るスプライス吸収コネクタを構成する各サブハウジングの正面図である。
【図７】同図（ａ），（ｂ），（ｃ）は本発明の第五実施形態に係るスプライス吸収コネクタを構成する各サブハウジングの正面図である。
【図８】同図は本発明の第六実施形態に係るスプライス吸収コネクタを構成する各サブハウジングの正面図である。
【図９】本出願人が提案した特願平１０−３１８８８８号のスプライス吸収コネクタを示す分解斜視図である。
【図１０】上記特願平１０−３１８８８８号のスプライス吸収コネクタを組み立てた状態の断面図である。
【図１１】上記特願平１０−３１８８８８号のスプライス吸収コネクタを構成する端子の斜視図である。
【図１２】上記特願平１０−３１８８８８号のスプライス吸収コネクタによるサブハーネスの接続状態を示す概念図である。
【符号の説明】
１                            スプライス吸収コネクタ
２０Ａ〜２０Ｆ                サブハウジング
２０ａ                        一面
４０，５０，６０，７０，８０  順位特定部
４０ａ〜４０ｆ                区画
５０ａ〜５０ｆ                区画
６０ａ〜６０ｆ                区画
７０ａ〜７０ｆ                区画
４１                          立体マーク
５１                          平面マーク
６１                          彩色
７１                          番号
【図１】
0003701495.tif 000002
【図２】
0003701495.tif 000003
【図３】
0003701495.tif 000004
【図４】
0003701495.tif 000005
【図５】
0003701495.tif 000006
【図６】
0003701495.tif 000007
【図７】
0003701495.tif 000008
【図８】
0003701495.tif 000009
【図９】
0003701495.tif 000010
【図１０】
0003701495.tif 000011
【図１１】
0003701495.tif 000012
【図１２】
0003701495.tif 000013